(57)【要約】【課題】より正確に電解水のｐＨを制御することのできる電解水生成装置を得る。【解決手段】電解水生成装置１は、アルカリイオン水および酸性水を生成する電解部５を有している。そして、電解水生成装置１に、電解部５にて生成されたアルカリイオン水と当該アルカリイオン水よりもｐＨの低い水とを混合する混合手段６０を設けた。【選択図】図２
2011255346.tif 000002
【特許請求の範囲】
【請求項１】
アルカリイオン水および酸性水を生成する電解部を有する電解水生成装置であって、
前記電解水生成装置は、前記電解部にて生成されたアルカリイオン水と当該アルカリイオン水よりもｐＨの低い水とを混合する混合手段を備えていることを特徴とする電解水生成装置。
【請求項２】
前記混合手段は、アルカリイオン水の流路と当該アルカリイオン水よりもｐＨの低い水の流路とを連結する連結流路と、当該連結流路に形成される流量調整弁と、を備えていることを特徴とする請求項１に記載の電解水生成装置。
【請求項３】
前記混合手段は、アルカリイオン水の流路と当該アルカリイオン水よりもｐＨの低い水の流路との間に圧力差を生じさせる圧力差発生機構を備えていることを特徴とする請求項１または請求項２に記載の電解水生成装置。
【請求項４】
前記混合手段は、アルカリイオン水と当該アルカリイオン水よりもｐＨの低い水のうち少なくともいずれか一方の流量を調整する流量調整手段と、それぞれの流路内をアルカリイオン水と当該アルカリイオン水よりもｐＨの低い水とが流れる二重管またはペアチューブと、を備えていることを特徴とする請求項１に記載の電解水生成装置。
【請求項５】
前記電解水生成装置は、前記混合手段により混合した水のｐＨを検知するｐＨ検知手段を備えていることを特徴とする請求項１〜４のうちいずれか１項に記載の電解水生成装置。
【請求項６】
前記混合手段は、前記アルカリイオン水よりもｐＨの低い水を貯留する貯留部を備えていることを特徴とする請求項１〜５のうちいずれか１項に記載の電解水生成装置。
【請求項７】
前記アルカリイオン水よりもｐＨの低い水が、前記電解部にて生成された酸性水であることを特徴とする請求項１〜６のうちいずれか１項に記載の電解水生成装置。
【請求項８】
前記アルカリイオン水よりもｐＨの低い水が、前記電解部を迂回した水であることを特徴とする請求項１〜６のうちいずれか１項に記載の電解水生成装置。
【発明の詳細な説明】
【技術分野】
【０００１】
本発明は、電気分解によりアルカリイオン水を生成するようにした電解水生成装置に関する。
【背景技術】
【０００２】
従来、細孔内に残存するアルカリ性灰分と細孔内に吸着された酸性ガスとを有する水処理用活性炭に原水を通水させる浄水器が知られている（たとえば、特許文献１参照）。
【０００３】
この特許文献１では、アルカリ性灰分と酸性ガスとを中和させ、中和により生じた塩を水に溶解させることで通水初期の流出水のｐＨ上昇を抑制している。
【先行技術文献】
【特許文献】
【０００４】
【特許文献１】特開２０００−３０８８２３号公報
【発明の概要】
【発明が解決しようとする課題】
【０００５】
しかしながら、かかる従来の技術では、中和により生じた塩を水に溶解させて流出水のｐＨ上昇を抑制しているため、流出水のｐＨを正確に制御することができなかった。
【０００６】
そこで、本発明は、より正確に電解水のｐＨを制御することのできる電解水生成装置を得ることを目的とする。
【課題を解決するための手段】
【０００７】
本発明にあっては、アルカリイオン水および酸性水を生成する電解部を有する電解水生成装置であって、前記電解水生成装置は、前記電解部にて生成されたアルカリイオン水と当該アルカリイオン水よりもｐＨの低い水とを混合する混合手段を備えていることを主要な特徴とする。
【発明の効果】
【０００８】
本発明によれば、電解水生成装置に、電解部にて生成されたアルカリイオン水と当該アルカリイオン水よりもｐＨの低い水とを混合する混合手段を設けたため、混合手段によってそれぞれの水を混合させることで、電解水のｐＨをより正確に制御することが可能となる。
【図面の簡単な説明】
【０００９】
【図１】図１は、本発明の第１実施形態にかかる電解水生成装置を模式的に示す全体構成図である。
【図２】図２は、本発明の第１実施形態にかかる混合手段を模式的に示す図であって、（ａ）は、混合手段が開いた状態を模式的に示す図、（ｂ）は混合手段が閉じた状態を模式的に示す図である。
【図３】図３は、本発明の第１実施形態にかかる圧力差発生機構を示す図であって、（ａ）は図２（ａ）のＡ部拡大図、（ｂ）は図２（ａ）のＢ部拡大図である。
【図４】図４は、本発明の第１実施形態の第１変形例にかかる混合手段を模式的に示す図である。
【図５】図５は、本発明の第１実施形態の第２変形例にかかる混合手段を模式的に示す図である。
【図６】図６は、本発明の第２実施形態にかかる混合手段を模式的に示す図である。
【図７】図７は、本発明の第２実施形態にかかる混合手段の吐水部を模式的に示す図であって、（ａ）は二重管の正面図、（ｂ）はペアチューブの正面図である。
【図８】図８は、本発明の第３実施形態にかかる混合手段を模式的に示す図である。
【図９】図９は、本発明の第４実施形態にかかる混合手段を模式的に示す図である。
【発明を実施するための形態】
【００１０】
以下、本発明の実施形態について図面を参照しつつ詳細に説明する。なお、以下の複数の実施形態ならびにその変形例には、同様の構成要素が含まれている。よって、以下では、それら同様の構成要素には共通の符号を付与するとともに、重複する説明を省略する。
【００１１】
（第１実施形態）
本実施形態にかかる電解水生成装置１は、図１に示すように、筐体２と、筐体２に取り付けられた吐水部３と、濃縮水と処理水とを生成するナノフィルタ４１を有し、筐体２内に配置される浄水部４と、陽極板５４および陰極板５５（少なくとも一対の電極）を有し、処理水を電気分解する電解槽（電解部）５と、を備えている。
【００１２】
この電解水生成装置１は、原水からアルカリイオン水や酸性水を生成するものであって、台所や厨房等の流し台に設けられた水栓（図示せず）に付設することで、電解水生成装置１で生成されたアルカリイオン水や酸性水（電解水）を吐水部３から吐水できるようになっている。なお、この電解水生成装置１は、流し台上に設置してもよいし、流し台の内部に設置する、いわゆるビルトインタイプとしてもよい。
【００１３】
浄水部４は、原水である水道水が導入される主通水路Ｐ０を有しており、この主通水路Ｐ０にナノフィルタ４１が配置されている。さらに本実施形態では、ナノフィルタ４１の上流側に前処理部４０が配置されており、当該前処理部４０にて前処理された水をナノフィルタ４１に導入するようにしている。
【００１４】
具体的には、本実施形態では、主通水路Ｐ０の上流側から下流側に向かって順に、プレフィルタ４２、供給ポンプ４３、第１活性炭フィルタ４４、第２活性炭フィルタ４５、ナノフィルタ４１が配置されている。
【００１５】
プレフィルタ４２は、例えば、不織布（図示せず）等によって、主通水路Ｐ０内に導入される水道水に混入した大きな粒子やゴミなど、比較的大きめの異物を捕捉して除去するものである。なお、このプレフィルタ４２は、供給ポンプ４３内部への微粒子の混入によるポンプ能力の低下を防止するために設けるものであり、特に設けなくてもよい。
【００１６】
プレフィルタ４２を通過して供給ポンプ４３に到達した水は、供給ポンプ４３で昇圧（たとえば、０．４ＭＰａ）され、下流側に圧送される。なお、供給ポンプ４３は、ゴミなどが除去された水を昇圧して下流側に圧送することで、ナノフィルタ４１の逆浸透圧を作り出すものである。
【００１７】
そして、供給ポンプ４３で昇圧されて下流側に圧送された水は、第１活性炭フィルタ４４および第２活性炭フィルタ４５に導入されて遊離残留塩素が除去される。
【００１８】
第１および第２活性炭フィルタ４４，４５には、活性炭フィルタ（図示せず）が収納されており、水に溶解した成分、特に異味や異臭、あるいは、トリハロメタンをはじめとしたハロゲン化炭素を除去するものである。本実施形態では、第２活性炭フィルタ４５では、繊維状の活性炭フィルタを用いている。
【００１９】
なお、活性炭フィルタの内部に重金属を除去するための重金属除去剤を混入し、当該重金属除去剤に鉛などの有害重金属を吸着させて除去できるようにしてもよい。また、活性炭フィルタで水中の残留塩素を分解除去することで、下流側に細菌が繁殖し易くなるが、これを防止するため、第１活性炭フィルタ４４および第２活性炭フィルタ４５のうちの少なくともいずれかに、銀などの抗菌性を有する金属を含む抗菌剤を混合するようにしてもよい。
【００２０】
このように、本実施形態では、プレフィルタ４２、供給ポンプ４３、第１活性炭フィルタ４４および第２活性炭フィルタ４５にて前処理が行われた水が、ナノフィルタ４１に導入されるようになっている。すなわち、本実施形態では、プレフィルタ４２、供給ポンプ４３、第１活性炭フィルタ４４および第２活性炭フィルタ４５で前処理部４０を形成している。
【００２１】
そして、前処理部４０にて前処理が行われた水はナノフィルタ４１に導入され、濃縮水および処理水が生成される。なお、ナノフィルタ４１の上流側に圧力センサを設けるようにしてもよい。
【００２２】
ナノフィルタ４１は、ＮＦ膜によって有機物（たとえば、トリハロメタンやカビ臭および農薬など）や重金属イオン（たとえば、鉛、クロム、カドミウム、水銀、砒素など）、さらにナトリウムやカルシウムなどの低分子量のイオン成分などを除去するものである。そして、ＮＦ膜を透過した水は、これらの物質が除去された処理水として電解槽（電解部）５に供給される。また、ＮＦ膜を透過しない水は、上述の物質が含有された濃縮水として濃縮水通路Ｐ１に導入され、濃縮水通路Ｐ１を通り、排水調整弁９が設けられた排水路Ｐ１から外部に排出される。この濃縮水の外部への排出量は排水調整弁９を制御することにより設定される。
【００２３】
なお、ＮＦ膜はＲＯ膜よりも透過孔が大きくなっているため、ＮＦ膜を用いたナノフィルタ４１は、粒子や有機物および重金属を高い除去率で除去することができるが、低分子量のイオン成分は透過水にある程度残存するという特性を有する。このＮＦ膜としては、粒子や有機物および重金属を９０パーセント以上の高い除去率で除去することができるとともに、低分子量のイオン成分が透過水に約１０〜３０パーセント程度残存するという特性を有するものを用いるのが好ましい。この場合、低分子イオンが残存した処理水の導電率を約２０μＳ／ｃｍ以上とすることができる。そして、このようなナノフィルタ４１を用いることで、電解槽５に導入された浄水に、低分子量のイオン成分を残存させることができるため、電解助剤を添加することなく浄水を電気分解してアルカリイオン水を生成することができる。なお、ＮＦ膜の除去率や低分子量のイオン成分の残存率は、上述のものには限定されず、他の除去率や残存率のＮＦ膜を用いることも可能である。
【００２４】
そして、ナノフィルタ４１のＮＦ膜を透過した処理水は、電解槽（電極部）５に供給される。
【００２５】
電解槽５には、電解隔膜５１で仕切られた陽極室５２と陰極室５３とが設けられており、陽極室５２には陽極板（陽極）５４が設けられるとともに、陰極室５３には陰極板（陰極）５５が設けられている。この陽極板５４と陰極板５５とは、電解隔膜５１を挟んで互いに対向する位置に配置されている。
【００２６】
また、ナノフィルタ４１よりも下流側の主通水路Ｐ０は、陽極室５２に繋がる第１分岐路Ｐ２と陰極室５３に繋がる第２分岐路Ｐ３とに分岐され、浄水部４を通過した処理水は、第１分岐路Ｐ２を介して陽極室５２に導入されるとともに、第２分岐路Ｐ３を介して陰極室５３に導入される。このとき、陽極室５２と陰極室５３とに導入される処理水量は所定割合で分配されるようになっており、本実施形態では、陽極室５２への導入量と陰極室５３への導入量との比は、１：４となっている。なお、陽極室５２への導入量と陰極室５３への導入量との比は、１：４に限定されるものではなく、他の比率であってもよい。
【００２７】
そして、陽極室５２および陰極室５３にそれぞれ導入された処理水は、陽極板５４および陰極板５５に電圧を印加することで電気分解され、陽極室５２に導入された処理水は酸性水となって酸性水流路５６から第１の吐水カラン３７に供給されるとともに、陰極室５３に導入された処理水はアルカリイオン水となってアルカリ水流路５８から第２の吐水カラン３９に供給される。このように、電解槽（電極部）５にて生成された酸性水を第１の吐水カラン３７から取り出すことができるとともに、電解槽（電極部）５にて生成されたアルカリイオン水を第２の吐水カラン３９から取り出すことができるようにしている。
【００２８】
なお、このように電解槽５で電気分解することにより酸性水およびアルカリイオン水が生成されるが、専ら飲用として用いられるのはアルカリイオン水であり、酸性水は他の特別な用途として用いられる以外は破棄されるものである。
【００２９】
また、本実施形態では、電解槽５の陰極板５５、陽極板５４および供給ポンプ４３は、配線Ｈ１、Ｈ２、Ｈ５を介して制御装置１３に接続され、当該制御装置１３により制御されている。
【００３０】
ここで、本実施形態では、電解水生成装置１に、電解槽（電極部）５にて生成されたアルカリイオン水と酸性水（アルカリイオン水よりもｐＨの低い水）とを混合する混合手段６０を設けている。
【００３１】
本実施形態では、混合手段６０は、アルカリ水流路（アルカリイオン水の流路）５８と酸性水流路（アルカリイオン水よりもｐＨの低い水の流路）５６とを連結する連結流路１５と、当該連結流路１５に形成される流量調整弁１２と、を備えている。また、連結流路１５の流量調整弁１２の上流側には、アルカリ水流路（アルカリイオン水の流路）５８へと流れた酸性水およびアルカリ水流路（アルカリイオン水の流路）５８内を流れるアルカリイオン水が逆流しないように逆止弁（逆流防止機構）１４が設けられている。
【００３２】
このように、逆止弁（逆流防止機構）１４を設けることで、アルカリイオン水の吐水量を酸性水の吐水量よりも多く（アルカリ水流路内の圧力を酸性水流路内の圧力よりも高く）した電解水生成装置を用いた場合であっても、アルカリイオン水が圧力の高いアルカリ水流路から圧力の低い酸性水流路に流入（逆流）を防止することができる。
【００３３】
流量調整弁１２は、図２に示すように、連結流路１５に対して相対回動可能に設けられており、当該流量調整弁１２を連結流路１５に対して相対回動させることで、アルカリ水流路５８と酸性水流路５６とを連通させたり遮断させたりすることができるようになっている。この流量調整弁１２は、配線Ｈ３を介して制御装置１３に接続されており、当該制御装置１３により制御されている。
【００３４】
さらに、本実施形態では、混合手段６０は、アルカリ水流路５８と酸性水流路５６との間に圧力差を生じさせる圧力差発生機構を備えている。
【００３５】
具体的には、図３に示すように、連結流路１５の酸性水流路５６に接続される一端部を上流側に向けて拡径させることでスカート部１５ａを形成し、酸性水の連結流路１５内への押し込み圧（正圧）が生じるようにしている。また、連結流路１５のアルカリ水流路５８に接続される他端部を下流側に向けて縮径させることでベンチュリ構造を形成し、連結流路１５のアルカリ水流路５８との接続部に負圧が生じるようにしている。
【００３６】
このように、連結流路１５の酸性水流路５６側の圧力が連結流路１５のアルカリ水流路５８側の圧力よりも大きくなるようにすることで、連結流路１５内の水（酸性水）が、酸性水流路５６側からアルカリ水流路５８側へと流れるようにしている。
【００３７】
なお、陽極室５２で生成された酸性水には塩素が含まれているため、本実施形態では、酸性水流路５６の連結流路１５との接続部よりも上流側に、塩素除去部１０を設けている。この塩素除去部１０の材料としては、活性炭、ゼオライト、酸化しやすい金属粉、プラチナ触媒、光触媒、イオン交換樹脂等が挙げられる。
【００３８】
また、本実施形態では、電解水生成装置１に、混合手段６０により混合した水のｐＨを検知するｐＨセンサ（ｐＨ検知手段）１１を設けている。このｐＨセンサ（ｐＨ検知手段）１１は、アルカリ水流路５８の連結流路１５との接続部よりも下流側に設けられている。このように、ｐＨセンサ（ｐＨ検知手段）１１を第２の吐水カラン３９の吐水口３９ａと混合手段６０との間に設置することで、混合後のｐＨ検知タイムラグがなくなるようにしている。
【００３９】
そして、このｐＨセンサ（ｐＨ検知手段）１１は、配線Ｈ４を介して制御装置１３に接続されており、当該制御装置１３により制御されている。
【００４０】
かかる構成を備える電解水生成装置１では、以下のようにしてアルカリイオン水のｐＨを制御している。
【００４１】
まず、吐水部３に設けられた図示せぬ操作部を操作し、アルカリイオン水生成モードを選択すると、電解水生成装置１内に水道水等の原水が導入される。そして、前処理部４０にて前処理された水がナノフィルタ４１に導入され、ナノフィルタ４１のＮＦ膜を透過した処理水が、電解槽（電極部）５に供給される。
【００４２】
この電解槽（電極部）５にて生成された酸性水およびアルカリイオン水は、それぞれ第１の吐水カラン３７および第２の吐水カラン３９を通って、吐水口３７ａおよび吐水口３９ａから吐水される。
【００４３】
このとき、ｐＨセンサ（ｐＨ検知手段）１１によってアルカリイオン水のｐＨが検知され、検知されたｐＨが所定の値よりも高い場合（特に、通水初期にはアルカリイオン水のｐＨが高くなる）には、流量調整弁１２を開き、連結流路１５を介して酸性水（アルカリイオン水よりもｐＨの低い水）をアルカリイオン水に混合させる。
【００４４】
そして、混合された水（主としてアルカリイオン水）のｐＨをｐＨセンサ（ｐＨ検知手段）１１で検知し、吐出されるアルカリイオン水のｐＨが所定の値となるように、流量調整弁１２を制御して、酸性水の混合量を調整する。例えば、混合後の水のｐＨが適切な範囲であれば、流量調整弁１２の開度をそのまま維持し、所定量の酸性水が混合される状態を維持するようにする。また、ｐＨが高すぎる場合には、流量調整弁１２の開度をさらに開き、混合する酸性水の量を増加してｐＨの低下を促すようにする。なお、これらの制御は、制御装置１３によってなされている。
【００４５】
こうして、より正確なｐＨ値のアルカリイオン水を長期にわたって安定して生成することができるようになる。
【００４６】
以上説明したように、本実施形態によれば、電解水生成装置１に、電解槽（電極部）５にて生成されたアルカリイオン水と酸性水（アルカリイオン水よりもｐＨの低い水）とを混合する混合手段６０を設けたため、混合手段６０によってそれぞれの水を混合させることで、電解水のｐＨをより正確に制御することが可能となる。
【００４７】
また、電解水生成装置１に、アルカリ水流路５８と酸性水流路５６との間に圧力差を生じさせる圧力差発生機構を設けたため、連結流路１５内の水を一方から他方に流すことができ、逆流を抑制することができる。このとき、アルカリ水流路５８側を負圧、酸性水流路５６を正圧とすることで、アルカリイオン水が酸性水流路５６に逆流してしまうのを抑制することができる。
【００４８】
また、本実施形態によれば、電解水生成装置１に、混合手段６０により混合した水のｐＨを検知するｐＨセンサ（ｐＨ検知手段）１１を設けたため、アルカリイオン水のｐＨをより正確に制御することが可能となる。
【００４９】
次に、本実施形態にかかる混合手段の変形例を説明する。
【００５０】
（第１変形例）
本変形例にかかる混合手段６０Ａでは、図４に示すように、位置検出センサ１６，１７を備える流量調整弁１２Ａが用いられている。
【００５１】
この流量調整弁１２Ａは、モータ１８のモータ軸１８ａに回動可能に取り付けられており、当該モータ１８によって駆動される。そして、流量調整弁１２Ａの開度が位置検出センサ１６，１７によって検知され、制御装置１３によって適切な開度に保持されるようになっている。
【００５２】
なお、モータ１８は、応答性が速く、正確に合わせられる超音波モータが望ましいが、これに限らず様々なモータを用いることができる。
【００５３】
また、位置検出センサとしては、磁石式や光方式などを用いることができるが、これらに限らず様々なセンサを用いることができる。
【００５４】
また、位置検出センサ１７およびモータ１８は、配線Ｈ６、Ｈ７を介して制御装置１３に接続され、当該制御装置１３により制御される。
【００５５】
以上の本変形例によっても、上記第１実施形態と同様の作用、効果を奏することができる。
【００５６】
また、流量調整弁１２Ａに位置検出センサ１６，１７を設けることで、流量調整弁１２Ａの開度をより正確に制御することができ、アルカリイオン水のｐＨをより正確に制御することが可能となる。
【００５７】
（第２変形例）
本変形例にかかる混合手段６０Ｂでは、図５に示すように、位置検出センサ１６，１７を備える流量調整弁１２Ｂが用いられている。
【００５８】
さらに、本変形例にかかる流量調整弁１２Ｂには、酸性水が滞留するバッファ部１９が設けられている。この流量調整弁１２Ｂによっても、上記第１変形例と同様の作用、効果を奏することができる。
【００５９】
また、流量調整弁１２Ｂにバッファ部１９を設けることで、急に大量に混合する必要があった場合であっても、迅速に応答することでき、混合量が不足してしまうのを抑制することができる。
【００６０】
さらに、バッファ部１９を設けることでｐＨを平均化する効果があり、酸性水側のｐＨが多少変動したとしても、ｐＨの安定した酸性水を確保することができる。その結果、アルカリイオン水のｐＨをより正確に制御することができる。
【００６１】
（第２実施形態）
本実施形態にかかる混合手段６０Ｃは、アルカリイオン水と酸性水（アルカリイオン水よりもｐＨの低い水）のうち少なくともいずれか一方である酸性水の流量を調整する流量調整弁（流量調整手段）１２Ｃを備えている。なお、その他の構成は、基本的に上記第１実施形態と同様である。
【００６２】
また、本実施形態では、第１の吐水カラン３７および第２の吐水カラン３９を、図７（ａ）に示す二重管、または、図７（ｂ）に示すペアチューブとし、それぞれの流路内をアルカリイオン水と酸性水とが流れるようにしている。
【００６３】
すなわち、本実施形態にかかる混合手段６０Ｃは、アルカリイオン水と酸性水とを第１の吐水カラン３７および第２の吐水カラン３９から吐水させた後で混合させるようにしたものである。
【００６４】
さらに、本実施形態では、第１の吐水カラン３７の途中から分岐し、流量調整弁（流量調整手段）１２Ｃが形成される酸性水排水カラン３７ｃが形成されている。そして、第１の吐水カラン３７の酸性水排水カラン３７ｃよりも下流側には、逆止弁１４が設けられており、この逆止弁１４により、酸性水排水カラン３７ｃから酸性水を排水する際に、酸性水排水カラン３７ｃよりも下流側に流れた酸性水が酸性水排水カラン３７ｃに向けて逆流しないようにしている。
【００６５】
このように、第１の吐水カラン３７から吐水される酸性水の逆流を防止することで、第１の吐水カラン３７から吐水される酸性水の吐水量をより一定に制御することができ、アルカリイオン水のｐＨをより正確に制御することが可能となる。
【００６６】
なお、流量調整弁（流量調整手段）１２Ｃは、配線Ｈ８を介して制御装置１３に接続され、当該制御装置１３により制御される。具体的には、流量調整弁（流量調整手段）１２Ｃの制御により酸性水の酸性水排水カラン３７ｃからの排水量を調整し、第１の吐水カラン３７から吐水される酸性水の吐水量を制御している。
【００６７】
以上の本実施形態によっても、上記第１実施形態と同様の作用、効果を奏することができる。
【００６８】
（第３実施形態）
本実施形態にかかる混合手段６０Ｄは、アルカリイオン水よりもｐＨの低い水を貯留する貯留部２１を備えている。なお、その他の構成は、基本的に上記第１実施形態と同様である。
【００６９】
本実施形態では、貯留部２１を迂回水路Ｐ４を介して電解槽（電極部）５の上流側に接続し、電解槽（電極部）５に供給される前の水（浄水部４を通過した水：電解槽（電極部）５を迂回した水）の一部を貯留部２１に貯留させるようにしている。
【００７０】
また、本実施形態では、貯留部２１には超音波素子２０が取り付けられている。この超音波素子２０により、貯留部２１に貯留された水に超音波を一定時間照射することで、水中に含まれる空気中の窒素が化学反応し、貯留部２１に貯留された水を超音波酸性水に変化させている。なお、超音波素子２０は、配線Ｈ９を介して制御装置１３に接続され、当該制御装置１３により制御される。
【００７１】
そして、貯留部２１内で形成された超音波酸性水は、通水路Ｐ５および連結流路１５を介して、アルカリ水流路５８に供給（アルカリイオン水と混合）されるようになっている。このように、本実施形態にかかる混合手段６０Ｄでは、電解槽（電極部）５にて生成される酸性水を用いないようにしている。
【００７２】
以上の本実施形態によっても、上記第１実施形態と同様の作用、効果を奏することができる。
【００７３】
（第４実施形態）
本実施形態にかかる混合手段６０Ｅでは、電解槽（電極部）５に供給される前の水の一部、すなわち、電解槽（電極部）５を迂回した水（浄水部４を通過した水：アルカリイオン水よりもｐＨの低い水）をアルカリイオン水に混合させるようにしている。なお、その他の構成は、基本的に上記第１実施形態と同様である。
【００７４】
本実施形態では、迂回水路Ｐ５に一端を電解槽（電極部）５の上流側に接続するとともに、他端部をアルカリ水流路５８に連結流路１５を介して接続することで、電解槽（電極部）５に供給される前の水を直接アルカリイオン水に混合させるようにしている。
【００７５】
このように、本実施形態にかかる混合手段６０Ｅでも、電解槽（電極部）５にて生成される酸性水を用いないようにしている。
【００７６】
以上の本実施形態によっても、上記第１実施形態と同様の作用、効果を奏することができる。
【００７７】
以上、本発明の好適な実施形態について説明したが、本発明は上記実施形態に限定されるものではなく、種々の変形が可能である。
【００７８】
例えば、上記各実施形態では、一対の電極（陽極および陰極）を用いたものを例示したが、電極は少なくとも一対備えていればよく、３つ以上の電極を用いてもよい。
【００７９】
また、前処理部を含む浄水部、その他細部のスペック（形状、大きさ、レイアウト等）も適宜に変更可能である。
【符号の説明】
【００８０】
１  電解水生成装置
５  電解槽（電解部）
１１  ｐＨセンサ（ｐＨ検知手段）
１２，１２Ａ，１２Ｂ，１２Ｃ  流量調整弁
１５  連結流路
２１  貯留部
６０，６０Ａ，６０Ｂ，６０Ｃ，６０Ｄ，６０Ｅ  混合手段
【図１】
2011255346.tif 000003
【図２】
2011255346.tif 000004
【図３】
2011255346.tif 000005
【図４】
2011255346.tif 000006
【図５】
2011255346.tif 000007
【図６】
2011255346.tif 000008
【図７】
2011255346.tif 000009
【図８】
2011255346.tif 000010
【図９】
2011255346.tif 000011